(57)【要約】【課題】  現今、エンジンエネルギーを得る為に原子力、石油燃料、火力、水力、風力等いろいろとあり開発研究に鎬を削っております。資源の枯湯等、安全性・安定性・経済性に於いていづれも長短があり問題があると思います。【解決手段】  私は磁石の反発、吸引の性質に目をつけ失敗と改良を加えることにより動力補完機の試作機を完成致しました。磁石の陽極・陰極の組み合せの妙に驚いております。単品では何の変哲もない製品ですが何らかの媒体が必要ですのでモータを使用することにより本来の機能効果を発揮することが実験によって確めることが出来ました。今後の研究改善によって、産業経済に大きな影響を及ぼすだろうと思います。石油争奪の為の争いも無くなり地球の環境の改善に貢献し引いては世界平和に役立つことを希望します。【選択図】  図４
2005039980.tif 000002
【特許請求の範囲】
【請求項１】
動力補完機は独自の発想より研究発明完成したものですので説明致します。主体は縦５ｍｍ、横１０ｍｍ、長さ４０ｍｍの磁石の組み合せより成り立っております。磁石は陽極と陽極を対峙すると反発して放れ陽極と陰極を対峙すると吸引密着致します。磁石の性質を利用したものです。外周と内周を陽極の対峙にして作り、反発、外周の４個所にバランスよく陰極を入れ替え又は挿入する  吸入、外周の回転をよくする媒体として出力モーターを使用する。
【請求項２】
請求項１とは反対に陽極の対峙は同じですが内周の４個所に陰極を挿入することにより内周の回転をよくする。
【請求項３】
挿入する磁石の数がバランスよく３個、２個、１個、と数が少なくなるに従って出力モーターを強くすることによって、外周の回転は高速となり飛躍的に拡大する。挿入する磁石の数がバランスよく５個６個と多くなることによって出力モーターを弱くすることによって回転は弱くなり低速となり縮小する。
【請求項４】
陽極、陰極、磁石の組み合せを逆にしても効力は同じである。
【請求項５】
外周と内周の位置関係をどちらかを固定し他を回転させることによって、動力補完機の応用価値方法を拡大することが出来る  普通モーターのように外周を固定し内周を回転する機器と、内周を固定し外周を回転させる機器をポールベヤリングなどの使用配置により容易に変更する特長を持っています
【発明の詳細な説明】
【発明の詳細な説明】
【技術分野】
【０００１】  本発明は少ない出力で大きな力を産み出す機器である。特に電力の応用に於いて効果は著しい。
【背景技術】
【０００２】  原子力火力水力等エネルギーを得る為にいろいろとあるが、それぞれに、問題点があると思います。
【発明を実施するための最良の形態】
【０００３】  以下、図によって説明致します。図１は動力補完機の側面よりみた全体像であると共に断面図である。寸法は試作機と同じである、幼稚で構造も簡単であるがあくまでも本発明の原理をあらわしている。若干技術面の問題点もあらわしている、特に空間に留意する本発明は磁石を主体に応用しているので空間が無いと本来の働きが出来ない。【０００４】  図２は、外周を回転させる場合の挿入する磁石の組み合せの位置を示したものである。【０００５】  図３は、内周を回転させる場合の挿入する磁石の組み合せの位置を示したものである。【０００６】  図４は、動力補完機の働き性能を実験によって結果を確めた時の略図である。
【動力補完機の実験】
【０００７】  ＣバッテリよりＤ１のスイッチを経てＢ１のモーターを回転させると同時に、動力補完機、Ｂ２、Ｂ３のダイナモを回転させます。それぞれの回転速度は、５プーリーなどの直径の差によって異なります。Ｂ２より発生した電気を中古自動車のＥ、レギリッターと言う機器だそうです。電気を安定的にバッテリーに充電すると共にスイッチＤ２を経て直接Ｂ１のモーターに電気が流れるように工夫しました。その結果今まではＢ１のモーターに電機を流すとバッテリーは２分位で放電し全体は停止致しました。工夫することによって２時間半以上も回転を続けることに成功しました。Ｂは密閉式のモーターとダイナモの兼用種でしたので、Ｂ２、Ｂ３のダイナモは高速回転の為に熱を帯びてきましたので停止を余儀なくされました。レギリッターも中古のせいかは解りませんがバッテリーの放電も進んでいました。結果として精巧なレギリッターの使用と短時間の充電に耐えるバッテリーの開発と長時間の使用に耐えるダイナモの選択によって解決されると思います。動力補完機は磁石を主体に応用していますので性能のよい磁石が開発されることが待たれます。動力補完機の将来に一層の性能と効果がもたらされることでしょう。試作機の作製に電動工具としてはドリルとグラインダーしか無く、鉄板やアルミ板など買い集めたりプーリーなどは自分で加工したものもあり貧弱で幼稚なものです。高速回転に耐える堅牢な本格的製品にすれば部品の続く限り長期間に回転し続けるだろうと確信します。試作機の２倍３倍１０倍１００倍と拡大するならば大きな力を発揮するでしょう。エネルギーの補助機構として今後の技術産業経済に革命的な影響を及ぼすだろう。補完機だけの回転なら単一乾電池４個でプラモデル用の小さなモーターでも回転します。驚く程早く廻ります。今後の利用方法として自動車のエンジンに利用すれば、燃費なき有害ガスの発生しない自動車の実現、燃料電池太陽光発電に比べても経済性安定性に秀れている。電力に活用すれば放射能もなく、安全で構造が簡素なので原子力発電に変る将来性がある。火力発電水力発電に比べても安全性経済性はもとよりどこでも発電所が造れるから長距離の送電線もいらなくなる。一歩進めて、内周回転の空間に、送風装置を機能すれば新しいロケットの技術にもなり宇宙への道も近代化されるだろう。
【発明の効果】
【０００８】  実験の結果として、Ｂ３、のダイナモより発生する電気は余剰の電気であり、出力のモーターの電気に相当します。又普通常識として同種の力のモーターとダイナモではダイナモより発生する電気は６０パーセント位と言われています。実験によって、Ｂ２、のダイナモより発生する電気はバッテリーへの充電とＢ１のモーターの回転する電気を産み出したことになります。動力補完機の目的性能を証明するものであります。Ｂ１、の出力モーターでＢ２、Ｂ３、のダイナモが回転するから出力１に対して２００パーセントの力が出たことになります。２００パーセントをダイナモ発生電気率６０パーセントで割ると、３．３となり出力電気に対して３倍以上の力が出たことが解ります。部品の続く限り回転し続ける動力補完機は究極のエネルギーの補助機構と言えます。
【図面の簡単な説明】
【図１】  側面よりみた動力補完機の全体像と断面図
【図２】  外周回転の場合の断面図
【図３】  内周回転の場合の断面図
【図４】  本発明機の実験の略図
【符号の説明】
１    中心棒
２    内周
３    外周
４    ポールベヤリング
５    プーリー
６    止メ金具
７    空間
Ａ    動力補完機の外周直径１００ｍｍ  プーリー直径４０ｍｍ
Ｂ１  Ｂ１のＢはモーターとダイナモの兼用機器  ＤＣ  １２Ｖ  １０．４Ａモーターとして使用プーリー直径７０ｍｍ
Ｂ２  ダイナモとして使用、プーリー直径２５ｍｍ
Ｂ３  ダイナモとして使用、プーリー直径２５ｍｍ
Ｃ    自動車用１２Ｖバッテリー
Ｄ１  モータ用スイッチ
Ｄ２  直流用スイッチ
Ｅ    レギリッター
Ｆ    Ｖベルト
Ｇ    電線、太線はプラス、細線はマイナス
【図１】
2005039980.tif 000003
【図２】
2005039980.tif 000004
【図３】
2005039980.tif 000005
【図４】
2005039980.tif 000006